(57)【要約】【課題】プッシュ・プッシュ式カード用コネクタ装置において、誤ってロックが解除され、接続中のカードが排出されないようにすると共に、操作性も確保する。【解決手段】ロック機構が、カードロック時は、カードコネクタのロック解除に必要な押しこみ量を確保できないようにすると共に、カードロック解除時は、カードの排出時にカードコネクタのロック解除を行うために必要な押しこみ量を確保するために移動する。【選択図】  図１
2004319351.tif 000002
【特許請求の範囲】
【請求項１】
プッシュ・プッシュ動作を通じてカードの挿入と排出を行うカードコネクタと、前記カードコネクタが装着されるフレームと、前記フレームのカード排出側において前記フレームに回動自在に支持される可動ブロックと、一端は前記可動ブロックに係止され、他端は前記フレームに係止され、前記可動ブロックを常に回動方向に押上げるばねとを備え、前記可動ブロックの先端部が、前記カードコネクタに挿入されたカードよりもカード排出側に突出するように構成したことを特徴とするカードコネクタ誤排出防止装置。
【請求項２】
前記可動ブロックの先端部が、前記カードコネクタに挿入されたカードよりもカード排出側に突出しない位置に固定するようにしたロック機構を備え、前記ロック機構を使用するかどうかを選択可能にした請求項１記載のカードコネクタ誤排出防止装置。
【発明の詳細な説明】
【０００１】
【発明の属する技術分野】
本発明は、カードを挿抜して使用される機器に係り、特にカードコネクタの誤排出防止装置に関する。
【０００２】
【従来の技術】
従来のプッシュ・プッシュ式カードコネクタ装置は、プッシュ・プッシュ動作を通じてカードの挿入と排出とが行われるカードコネクタであり、カードをカードセット空間の適切な位置でロックするために必要となる機構を利用してカードの検出スイッチを動作させることができるようにしたものが知られている（例えば特許文献１参照。）。
【０００３】
【特許文献１】
特開２０００−２６０５２４号公報（図１）
【０００４】
【発明が解決しようとする課題】
しかしながら、プッシュ・プッシュ動作を通じてカードの挿入と排出とが行われるカードコネクタでは、カードのロック解除を行うために必要な押しこみ量がすでに確保されており、誤操作されたり衝撃を受けるなどしてカードが予期せず排出されてしまう危険性があり、その場合、カードの接続が遮断されて動作データ消失等という課題を有していた。
【０００５】
そこで、本発明は、前記従来の課題を解決するもので、プッシュ・プッシュ式カードコネクタ装置において、接続中のカードが誤ってロック解除され排出されないようにして操作性も確保したカードコネクタ誤排出防止装置を提供することを目的とする。
【０００６】
【課題を解決するための手段】
前記従来の課題を解決するために、本発明の請求項１に記載したカードコネクタ誤排出防止装置は、プッシュ・プッシュ動作を通じてカードの挿入と排出を行うカードコネクタと、カードコネクタが装着されるフレームと、フレームのカード排出側においてフレームに回動自在に支持される可動ブロックと、一端は可動ブロックに係止され、他端はフレームに係止され、可動ブロックを常に回動方向に押上げるばねとを備え、可動ブロックの先端部が、カードコネクタに挿入されたカードよりもカード排出側に突出するように構成した、というものである。
【０００７】
本構成によって、前記可動ブロックの先端部は、前記回転方向に押上げるばねにより、常に前記カードコネクタに挿入されたカードよりもカード排出側に突出しており、カードの排出動作が禁止され接続遮断事故等が回避できる。
【０００８】
本発明の請求項２に記載したカードコネクタ誤排出防止装置は、可動ブロックの先端部が、カードコネクタに挿入されたカードよりもカード排出側に突出しない位置に固定するようにしたロック機構を備え、ロック機構を使用するかどうかを選択可能にした、というものである。
【０００９】
本構成によって、可動ブロックの先端部をカードコネクタに挿入されたカードよりも突出しない位置に固定でき、ロック機構を使用するかどうかを可能にし、排出動作は支障なく行えるので、操作性も良好となる。
【００１０】
【発明の実施の形態】
本発明の実施の形態のカードコネクタ誤排出防止装置について、まず図１〜図３を参照して説明する。
【００１１】
図１は本発明のカードコネクタ誤排出防止装置の分解斜視図、図２は可動ブロック閉時の本発明のカードコネクタ誤排出防止装置の組立状態の斜視図、図３は可動ブロック閉時の本発明のカードコネクタ誤排出防止装置の外装フレーム５を除いた組立状態の斜視図である。
【００１２】
本発明のカード誤排出防止装置において、フレーム１にカードコネクタ３が基板４に実装された状態で装着され、常時可動ブロック２を回転方向に押上げるコイルばね８とシャフト７とそれらをカバーする外装フレーム５とから構成され、カード６は、外装フレーム５の開口部よりコネクタ３に挿入され、また、コネクタ３より排出される。
【００１３】
個々の部品を詳細に説明すると、カードコネクタ３は、プッシュ・プッシュ動作を通じてカードの挿入と排出を行う一般に知られているものであり、基板４はカードの動作データを本体機器とやり取りを行うものである。フレーム１は、合成樹脂から製造され、後述する可動ブロック２に固定されるシャフト７を支持する１ａおよび１ｂが形成される。可動ブロック２は、合成樹脂から製造され、前述のようにシャフト７により、フレーム１に支持され、ストッパー２ａにより回転方向の動作を完了する。コイルばね８は、一端は可動ブロック２に係止され、他端はフレーム１に係止される。外装フレーム５は、カードを挿抜し、可動ブロック２が移動する開口部が形成され、シャフト支持部１ａ、１ｂおよびコイルばね８をカバーする。
【００１４】
可動ブロックの動作について、図４、図５を参照して説明する。図４はカード挿入時の可動ブロック閉時の動作断面図である。カード６が挿入された状態であり、可動ブロック２はコイルばね８によりシャフト７を支点に矢印Ａ方向に押上げられ、カード６に常時押当てられ、図５に示すカードコネクタのロックを解除するために必要な押しこみ量Ｓを確保できないようになっている。可動ブロック２の先端部が、カード６よりもカード６排出側に突出していることにより、カードコネクタのロックを解除するための押しこみ動作ができなくなっている。
【００１５】
図５はカード挿入時の可動ブロック開時の動作断面図である。カード６が挿入された状態であり、ユーザが指等でシャフト７を支点に可動ブロック２を矢印Ｂ方向に移動させ、カードコネクタのロックを解除するために必要な押しこみ量Ｓを確保させた状態であり、さらに、ロック２ｂを設けることにより、前述の押しこみ量を常に確保させた状態になっている。ロック２ｂは、図６に示すように可動ブロック２に半球状の凸部２ｄ設け、フレーム１に前記半球状の凸部２ｄが嵌入するための穴１ｃを設け、コイルばね８の反力を利用することによりプランジャーが形成されたものである。可動ブロック２はシャフト７を支点に移動するので、穴１ｃは凸部２ｄの円周軌道上に位置するフレーム１に具備し、可動ブロック２がカードコネクタのロックを解除するために必要な押しこみ量Ｓを確保した位置にあるとき、凸部２ｄと穴１ｃが一致する位置に凸部２ｄと穴１ｃが設けられている。ロック２ｂにより、可動ブロック２の先端部が、カード６よりもカード６排出側に突出しない位置に常に固定されることにより、カードコネクタのロック、或いはロックを解除するための押しこみ動作ができるようになっている。これにより、可動ブロック２をロック機構としたカードコネクタ誤排出防止装置を使用するかどうかを選択可能にした。ロック２ｂにより、可動ブロック２の先端部を、カード６よりもカード６排出側に突出しない位置に常に固定でき、また、ロック２ｂを解除すれば、可動ブロック２の先端部がカード６よりもカード６排出側に突出する位置に移動することができるようになっている。図７はカード６が排出されている状態であり、カード６の挿抜のための開口部の扉になっている。すなわち、リブ２ｃにより可動ブロックを移動することにより、ユーザはカード６を挿入することができる。
【００１６】
【発明の効果】
以上の説明より明らかなように、本発明のカードコネクタ誤排出防止装置によれば、以下に記載されるような効果を得ることができる。可動ブロックが常時カードに押当てられることにより、可動ブロックの先端部が、カードコネクタに挿入されたカードよりもカード排出側に突出することとなり、カードの排出が容易にできなくなり、誤操作や衝撃に起因するカードの接続遮断事故を防止することができる。また、カードを排出するときは、可動ブロックを下方向に回転移動させることにより、カードのロック解除を行うのに必要な押しこみ量を確保できる。
【００１７】
さらに、可動ブロックの先端部が、カードコネクタに挿入されたカードよりもカード排出側に突出しない位置に固定するようにしたロック機構を備え、ロック機構を使用するかどうかを選択可能にした。これにより、可動ブロックの先端部をカードコネクタに挿入されたカードよりも突出しない位置に固定でき、ロック機構を使用するかどうかを可能にし、排出動作は支障なく行えるので、操作性も良好となる。
【図面の簡単な説明】
【図１】本発明の実施の形態の分解斜視図
【図２】本発明の実施の形態の組立状態における可動ブロック開時の斜視図
【図３】本発明の実施の形態の外装フレームを除いた組立状態における可動ブロック閉時の斜視図
【図４】本発明の実施の形態のカード挿入時の可動ブロック閉時の動作断面図
【図５】本発明の実施の形態のカード挿入時の可動ブロック開時の動作断面図
【図６】本発明の実施の形態の可動ブロックに設けたロック機構の動作を説明するための斜視図
【図７】本発明の実施の形態のカード排出時の動作断面図
【符号の説明】
１  フレーム
１ａ  シャフト支持部
１ｂ  シャフト支持部
１ｃ  穴
２  可動ブロック
２ａ  ストッパー
２ｂ  ロック
２ｃ  リブ
２ｄ  凸部
３  カードコネクタ
４  基板
５  外装フレーム
６  カード
７  シャフト
８  コイルばね
【図１】
2004319351.tif 000003
【図２】
2004319351.tif 000004
【図３】
2004319351.tif 000005
【図４】
2004319351.tif 000006
【図５】
2004319351.tif 000007
【図６】
2004319351.tif 000008
【図７】
2004319351.tif 000009